(57)【要約】ネットワーク接続の復旧方法、装置及び通信システムを提供する。マスタ基地局に無線リンク障害が発生しており、且つセカンダリ基地局のシグナリング無線ベアラが依然として利用可能である場合、又はプライマリセルに物理層の問題又はランダムアクセスの問題が発生しており、且つセカンダリセルが依然として利用可能である場合、ユーザ装置がマスタ基地局及び／又はプライマリセルの障害の情報を報告し、或いはマスタ基地局及び／又はプライマリセルを自律的に復旧することで、無線リンク障害が発生したセル又は基地局を迅速に変更することができ、ネットワーク側との接続を復旧することができ、データ損失を低減させることができる。【選択図】図２
2020511842.tif 000002
【特許請求の範囲】
【請求項１】
ユーザ装置に配置されるネットワーク接続の復旧装置であって、
第１ネットワーク装置及び／又は第１セルに無線リンク障害が発生した場合、第１ネットワーク装置及び／又は第１セルの障害の情報を報告し、或いは第１ネットワーク装置及び／又は第１セルを自律的に復旧する第１処理手段、を含む、装置。
【請求項２】
第１ネットワーク装置に無線リンク障害が発生したことは、
前記ユーザ装置がデュアルコネクティビティで構成されている場合、第１ネットワーク装置に無線リンク障害が発生し、且つ第２ネットワーク装置のシグナリング無線ベアラが依然として利用可能であることを含む、請求項１に記載の装置。
【請求項３】
第１セルに無線リンク障害が発生したことは、
前記ユーザ装置がキャリアアグリゲーションで構成されている場合、第１セルに物理層の問題又はランダムアクセスの問題が発生し、且つ第２セルが依然として利用可能であることを含む、請求項１に記載の装置。
【請求項４】
前記第１処理手段は、
前記ユーザ装置がデュアルコネクティビティで構成されている場合、スプリットシグナリング無線ベアラ（Ｓｐｌｉｔ  ＳＲＢ）により第２ネットワーク装置を介してネットワーク側に無線リンク障害報告を送信する第１報告手段、を含む、請求項１に記載の装置。
【請求項５】
前記無線リンク障害報告は、第１セル群の障害の情報及び／又は第２セル群の障害の情報を含む、請求項４に記載の装置。
【請求項６】
前記ユーザ装置がキャリアアグリゲーションで構成されている場合、前記無線リンク障害報告は、第１セルの障害の情報又はネットワーク装置の障害の情報を含む、請求項４に記載の装置。
【請求項７】
前記第１処理手段は、
前記ユーザ装置がデュアルコネクティビティで構成されている場合、第２ネットワーク装置が第１ネットワーク装置の無線リンク障害のメッセージをネットワーク側に報告するように、セカンダリセル群シグナリング無線ベアラ（ＳＣＧ  ＳＲＢ）により前記第２ネットワーク装置に第１ネットワーク装置の無線リンク障害報告を送信する第２報告手段、を含む、請求項１に記載の装置。
【請求項８】
前記第１処理手段は、
前記ユーザ装置がキャリアアグリゲーションで構成されている場合、ネットワーク側が第１セルの障害の情報に基づいて前記ユーザ装置のために第１セルを変更し、第２セルの動作を維持するように、ネットワーク側に前記第１セルの障害の情報を報告する第３報告手段、を含む、請求項１に記載の装置。
【請求項９】
前記第３報告手段は、物理層シグナリング、或いは媒体アクセス制御（ＭＡＣ）副層シグナリング、或いは第１セルの障害報告を介して前記ネットワーク側に前記第１セルの障害の情報を報告する、請求項８に記載の装置。
【請求項１０】
前記第１処理手段は、
シグナリング無線ベアラに障害が発生しており、且つデータ無線ベアラに障害が発生していない場合、ＲＲＣ接続再確立を行い、前記データ無線ベアラの動作を維持する第１復旧手段、を含む、請求項１に記載の装置。
【請求項１１】
前記第１処理手段は、
前記ユーザ装置がキャリアアグリゲーションで構成されている場合、前記第１セルと同一のネットワーク装置に属する他のセルへのランダムアクセスを開始し、該セルを第１セルとして変更するように要求し、第２セルの動作を維持する第２復旧手段、を含む、請求項１に記載の装置。
【請求項１２】
前記第１処理手段は、
前記ユーザ装置がデュアルコネクティビティで構成されている場合、前記第１ネットワーク装置がキャリアアグリゲーションで構成されておらず、シグナリング無線ベアラに障害が発生しており、且つデータ無線ベアラに障害が発生していないとき、第１ネットワーク装置の他のセルにおいてシグナリング無線ベアラの復旧プロセスを開始し、前記データ無線ベアラの動作及び第２ネットワーク装置の動作を維持する第３復旧手段、を含む、請求項１に記載の装置。
【請求項１３】
前記第１処理手段は、
前記ユーザ装置がデュアルコネクティビティで構成されている場合、前記第１ネットワーク装置がキャリアアグリゲーションで構成されており、且つ前記第１ネットワーク装置の第１セルに無線リンク障害が発生したとき、第１ネットワーク装置の他のセルにおいて第１セルの変更プロセスを開始する第４復旧手段、を含む、請求項１に記載の装置。
【請求項１４】
前記ユーザ装置がデュアルコネクティビティで構成されており、第２ネットワーク装置に無線リンク障害が発生しており、且つ第１ネットワーク装置に無線リンク障害が発生していない場合、第２ネットワーク装置を自律的に復旧する第２処理手段、をさらに含む、請求項１に記載の装置。
【請求項１５】
前記第２処理手段は、
前記第２ネットワーク装置がキャリアアグリゲーションで構成されておらず、シグナリング無線ベアラに障害が発生しており、且つデータ無線ベアラに障害が発生していない場合、第２ネットワーク装置の他のセルにおいてシグナリング無線ベアラの復旧プロセスを開始し、前記データ無線ベアラの動作及び第１ネットワーク装置の動作を維持する第５復旧手段、を含む、請求項１４に記載の装置。
【請求項１６】
前記第２処理手段は、
前記第２ネットワーク装置がキャリアアグリゲーションで構成されており、且つ前記第２ネットワーク装置の第１セルに無線リンク障害が発生した場合、第２ネットワーク装置の他のセルにおいて第１セルの変更プロセスを開始する第６復旧手段、を含む、請求項１４に記載の装置。
【請求項１７】
第２ネットワーク装置に配置されるネットワーク接続の復旧装置であって、
ユーザ装置からスプリットシグナリング無線ベアラを介して送信された無線リンク障害報告、又はセカンダリセル群シグナリング無線ベアラを介して送信された第１ネットワーク装置の無線リンク障害報告を受信する受信手段と、
前記無線リンク障害報告又は第１ネットワーク装置の無線リンク障害のメッセージをネットワーク側に送信する送信手段と、を含む、装置。
【請求項１８】
第１ネットワーク装置に配置されるネットワーク接続の復旧装置であって、
ユーザ装置から送信された第１セルの障害報告、又は第２ネットワーク装置から送信された無線リンク障害報告、若しくは第１ネットワーク装置の無線リンク障害のメッセージを受信する受信手段と、
前記第１セルの障害報告に基づいて前記ユーザ装置のために第１セルを変更し、且つ第２セルの動作を維持し、或いは前記無線リンク障害報告又は前記第１ネットワーク装置の無線リンク障害のメッセージに基づいて前記ユーザ装置のために第１ネットワーク装置を変更し、且つ／或いは前記ユーザ装置のために第１セルを変更する処理手段と、を含む、装置。
【発明の詳細な説明】
【技術分野】
【０００１】
本発明は、通信技術の分野に関し、特にネットワーク接続の復旧方法、装置及び通信システムに関する。
【背景技術】
【０００２】
無線リンクの監視と無線リンク障害のトリガ及び報告は、無線通信システムの研究のホットスポットである。
【０００３】
ロングタームエボリューション（ＬＴＥ：Ｌｏｎｇ  Ｔｅｒｍ  Ｅｖｏｌｕｔｉｏｎ）システムでは、物理層の問題が発生し、或いはランダムアクセスの問題が発生し、或いは任意の１つの無線リンク制御（ＲＬＣ：Ｒａｄｉｏ  Ｌｉｎｋ  Ｃｏｎｔｒｏｌ）層のプロトコルデータユニット（ＰＤＵ：Ｐｒｏｔｏｃｏｌ  Ｄａｔａ  Ｕｎｉｔ）が最大の再送回数に達した場合、無線リソース制御（ＲＲＣ：Ｒａｄｉｏ  Ｒｅｓｏｕｒｃｅ  Ｃｏｎｔｒｏｌ）層は無線リンク障害が発生したことを通知する。無線リンク障害が発生した場合、ユーザ装置（ＵＥ：Ｕｓｅｒ  Ｅｑｕｉｐｍｅｎｔ）が接続再確立プロセスを開始し、ＲＲＣ接続の復旧を試みる。
【０００４】
ＵＥがキャリアアグリゲーション（ＣＡ：Ｃａｒｒｉｅｒ  Ａｇｇｒｅｇａｔｉｏｎ）で構成されており、即ちＵＥがプライマリセル（ＰＣｅｌｌ：Ｐｒｉｍａｒｙ  Ｃｅｌｌ）及び複数のセカンダリセル（ＳＣｅｌｌ：Ｓｅｃｏｎｄａｒｙ  Ｃｅｌｌ）でデータを送受信できる場合、プライマリセルに物理層の問題が発生し、或いはプライマリセルにランダムアクセスの問題が発生し、或いは任意のＲＬＣ  ＰＤＵが最大の再送回数に達したとき、ＲＲＣ層は無線リンク障害が発生したことを通知する。無線リンク障害が発生した場合、ＵＥが接続再確立プロセスを開始し、ＲＲＣ接続の復旧を試みる。
【０００５】
ＵＥがデュアルコネクティビティで構成されており、即ちＵＥがマスタ基地局（ＭｅＮＢ：Ｍａｓｔｅｒ  ｅＮＢ）及び複数のセカンダリ基地局（ＳｅＮＢ：Ｓｅｃｏｎｄａｒｙ  ｅＮＢ）でデータを送受信できる場合、セカンダリ基地局に物理層の問題が発生し、或いはセカンダリ基地局にランダムアクセスの問題が発生し、或いはセカンダリ基地局の任意のＲＬＣ  ＰＤＵが最大の再送回数に達したとき、ＲＲＣ層はセカンダリ基地局の無線リンクの障害が発生したことを通知する。セカンダリ基地局に無線リンク障害が発生した場合、ＵＥがマスタ基地局にセカンダリセル群の障害報告を送信し、マスタ基地局が該報告に基づいてセカンダリ基地局を削除又は変更してもよい。また、マスタ基地局に無線リンク障害が発生した場合、ＵＥが接続再確立プロセスを開始し、ＲＲＣ接続の復旧を試みる。
【０００６】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００７】
本発明の発明者の発見によると、マスタ基地局に無線リンク障害が発生してもセカンダリ基地局のシグナリング無線ベアラが依然として利用可能である場合、又はプライマリセルに物理層の問題、若しくはランダムアクセスの問題が発生してもセカンダリセルが依然として利用可能である場合、ＵＥが接続の再確立プロセスを勝手に開始すると、ネットワーク側との接続を迅速に復旧することができず、データ損失が増加してしまう。
【０００８】
上記の問題を解決するために、本発明の実施例は、無線リンク障害が発生した場合にネットワーク側との接続を迅速に復旧することができ、データ損失を低減させることができるネットワーク接続の復旧方法、装置及び通信システムを提供する。
【課題を解決するための手段】
【０００９】
本発明の実施例の第１態様では、ネットワーク接続の復旧方法であって、ユーザ装置が第１ネットワーク装置及び／又は第１セルに無線リンク障害が発生した場合、第１ネットワーク装置及び／又は第１セルの障害の情報を報告し、或いは第１ネットワーク装置及び／又は第１セルを自律的に復旧するステップ、を含む、方法を提供する。
【００１０】
本発明の実施例の第２態様では、ネットワーク接続の復旧方法であって、第２ネットワーク装置がユーザ装置からスプリットシグナリング無線ベアラを介して送信された無線リンク障害報告、又はセカンダリセル群シグナリング無線ベアラを介して送信された第１ネットワーク装置の無線リンク障害報告を受信するステップと、前記第２ネットワーク装置が前記無線リンク障害報告又は第１ネットワーク装置の無線リンク障害のメッセージをネットワーク側に送信するステップと、を含む、方法を提供する。
【００１１】
本発明の実施例の第３態様では、ネットワーク接続の復旧方法であって、第１ネットワーク装置がユーザ装置から送信された第１セルの障害報告、又は第２ネットワーク装置から送信された無線リンク障害報告、若しくは第１ネットワーク装置の無線リンク障害のメッセージを受信するステップと、前記第１ネットワーク装置が前記第１セルの障害報告に基づいて前記ユーザ装置のために第１セルを変更し、且つ第２セルの動作を維持し、或いは前記無線リンク障害報告又は前記第１ネットワーク装置の無線リンク障害のメッセージに基づいて前記ユーザ装置のために第１ネットワーク装置を変更し、且つ／或いは前記ユーザ装置のために第１セルを変更するステップと、を含む、方法を提供する。
【００１２】
本発明の実施例の第４態様では、ユーザ装置に配置されるネットワーク接続の復旧装置であって、第１ネットワーク装置及び／又は第１セルに無線リンク障害が発生した場合、第１ネットワーク装置及び／又は第１セルの障害の情報を報告し、或いは第１ネットワーク装置及び／又は第１セルを自律的に復旧する第１処理手段、を含む、装置を提供する。
【００１３】
本発明の実施例の第５態様では、第２ネットワーク装置に配置されるネットワーク接続の復旧装置であって、ユーザ装置からスプリットシグナリング無線ベアラを介して送信された無線リンク障害報告、又はセカンダリセル群シグナリング無線ベアラを介して送信された第１ネットワーク装置の無線リンク障害報告を受信する受信手段と、前記無線リンク障害報告又は第１ネットワーク装置の無線リンク障害のメッセージをネットワーク側に送信する送信手段と、を含む、装置を提供する。
【００１４】
本発明の実施例の第６態様では、第１ネットワーク装置に配置されるネットワーク接続の復旧装置であって、ユーザ装置から送信された第１セルの障害報告、又は第２ネットワーク装置から送信された無線リンク障害報告、若しくは第１ネットワーク装置の無線リンク障害のメッセージを受信する受信手段と、前記第１セルの障害報告に基づいて前記ユーザ装置のために第１セルを変更し、且つ第２セルの動作を維持し、或いは前記無線リンク障害報告又は前記第１ネットワーク装置の無線リンク障害のメッセージに基づいて前記ユーザ装置のために第１ネットワーク装置を変更し、且つ／或いは前記ユーザ装置のために第１セルを変更する処理手段と、を含む、装置を提供する。
【００１５】
本発明の実施例の第７態様では、上記の第４態様に記載の装置を含む、ユーザ装置を提供する。
【００１６】
本発明の実施例の第８態様では、上記の第５態様又は第６態様に記載の装置を含む、ネットワーク装置を提供する。
【００１７】
本発明の実施例の第９態様では、上記の第７態様に記載のユーザ装置と、上記の第８態様に記載のネットワーク装置と、を含む、通信システムを提供する。
【００１８】
本発明の実施例の有益な効果としては、第１ネットワーク装置に無線リンク障害が発生しており、且つ第２ネットワーク装置のシグナリング無線ベアラが依然として利用可能である場合、又は第１セルに物理層の問題又はランダムアクセスの問題が発生しており、且つ第２セルが依然として利用可能である場合、ＵＥが第１ネットワーク装置及び／又は第１セルの障害の情報を報告し、或いは第１ネットワーク装置及び／又は第１セルを自律的に復旧することで、第１ネットワーク装置又は第１セルを迅速に変更することができ、ネットワーク側との接続を復旧することができ、データ損失を低減させることができる。
【００１９】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２０】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２１】
なお、本文では、用語「包括／含む」は、特徴、部材、ステップ又は構成要件が存在することを意味し、一つ又は複数の他の特徴、部材、ステップ又は構成要件の存在又は付加を排除しない。
【図面の簡単な説明】
【００２２】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００２３】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の実施例の通信システムを示す図である。
【図２】本発明の実施例１のネットワーク接続の復旧方法を示す図である。
【図３】本発明の実施例２のネットワーク接続の復旧方法を示す図である。
【図４】本発明の実施例３のネットワーク接続の復旧方法を示す図である。
【図５】本発明の実施例１〜３のネットワーク接続の復旧方法を示す図である。
【図６】本発明の実施例４のネットワーク接続の復旧装置を示す図である。
【図７】本発明の実施例５のネットワーク接続の復旧装置を示す図である。
【図８】本発明の実施例６のネットワーク接続の復旧装置を示す図である。
【図９】本発明の実施例７のユーザ装置の構成を示す図である。
【図１０】本発明の実施例８のネットワーク装置の構成を示す図である。
【発明を実施するための形態】
【００２４】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２５】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２６】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２７】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２８】
また、通信システムにおける装置間の通信は、任意の段階の通信プロトコルに従って行われてもよく、該通信プロトコルは、例えば１Ｇ（世代）、２Ｇ、２．５Ｇ、２．７５Ｇ、３Ｇ、４Ｇ、４．５Ｇ、及び将来の５Ｇ、新無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２９】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００３０】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００３１】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。ユーザ装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３２】
そのうち、ユーザ装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３３】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３４】
以下は本発明の実施例のシナリオを例示的に説明するが、本発明はこれに限定されない。
【００３５】
図１は本発明の実施例の通信システムを示す図であり、ユーザ装置及びネットワーク装置の例を例示的に説明する。図１に示すように、通信システム１００は、ネットワーク装置１０１及びユーザ装置１０２（説明の便宜上、図１は１つのユーザ装置のみの例を説明する）を含んでもよい。
【００３６】
本発明の実施例では、ネットワーク装置１０１とユーザ装置１０２との間で、既存のトラフィック又は将来実装可能なトラフィックを行ってもよい。例えば、これらのトラフィックは、拡張された移動ブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）、高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００３７】
ユーザ装置１０２は、例えばグラントフリー（Ｇｒａｎｔ−Ｆｒｅｅ）の伝送方式を用いてネットワーク装置１０１にデータを送信してもよい。ネットワーク装置１０１は、１つ又は複数のユーザ装置１０２により送信されたデータを受信し、情報（例えば肯定応答（ＡＣＫ）／非肯定応答（ＮＡＣＫ）情報）をユーザ装置１０２にフィードバックしてもよく、ユーザ装置１０２は、フィードバック情報に基づいて伝送プロセスの終了を確認してもよいし、新しいデータ伝送又はデータ再送を行ってもよい。
【００３８】
新無線（ＮＲ：Ｎｅｗ  Ｒａｄｉｏ）システムの研究では、次世代ユニバーサル移動体通信システム地上波無線アクセスネットワーク（Ｅ−ＵＴＲＡＮ：Ｅｖｏｌｖｅｄ  Ｕｎｉｖｅｒｓａｌ  ｍｏｂｉｌｅ  ｔｅｌｅｃｏｍｍｕｎｉｃａｔｉｏｎ  ｓｙｓｔｅｍ  Ｔｅｒｒｅｓｔｒｉａｌ  Ｒａｄｉｏ  Ａｃｃｅｓｓ  Ｎｅｔｗｏｒｋ）とＮＲデュアルコネクティビティが次のように合意した。ＵＥとセカンダリ基地局との間でセカンダリノード（ＳＮ：Ｓｅｃｏｎｄａｒｙ  Ｎｏｄｅ）ＲＲＣメッセージを直接伝送するように、ＵＥのためにセカンダリセル群（ＳＣＧ：Ｓｅｃｏｎｄａｒｙ  Ｃｅｌｌ  Ｇｒｏｕｐ）シグナリング無線ベアラ（ＳＲＢ：Ｓｉｇｎａｌｉｎｇ  Ｒａｄｉｏ  Ｂｅａｒｅｒ）を構成してもよく、スプリット（Ｓｐｌｉｔ）ＳＲＢをサポートする。
【００３９】
以下は図面を参照しながら本発明の実施例を説明する。
【００４０】
＜実施例１＞
本実施例はネットワーク接続の復旧方法を提供し、該方法はユーザ装置側に適用され、例えばユーザ装置に適用されてもよい。図２は該方法を示す図であり、図２に示すように、該方法は以下のステップを含む。
【００４１】
ステップ２０１：第１ネットワーク装置及び／又は第１セルに無線リンク障害が発生した場合、ユーザ装置（ＵＥ）は第１ネットワーク装置及び／又は第１セルの障害の情報を報告し、或いは第１ネットワーク装置及び／又は第１セルを自律的に復旧する。
【００４２】
本実施例では、第１ネットワーク装置は例えばＵＥがデュアルコネクティビティで構成されている場合のマスタ基地局であり、第２ネットワーク装置は例えばＵＥがデュアルコネクティビティで構成されている場合のセカンダリ基地局であり、第１セルは例えばＵＥがキャリアアグリゲーションで構成されている場合のプライマリセルであり、第２セルは例えばＵＥがキャリアアグリゲーションで構成されている場合のセカンダリセルであるが、本実施例はこれに限定されない。
【００４３】
本実施例では、第１ネットワーク装置に無線リンク障害が発生したことは、ユーザ装置がデュアルコネクティビティで構成されている場合、第１ネットワーク装置に無線リンク障害が発生し、且つ第２ネットワーク装置のシグナリング無線ベアラが依然として利用可能であることを含んでもよい。本実施例では、ＵＥがデュアルコネクティビティで構成され、即ちＵＥが第１ネットワーク装置及び第２ネットワーク装置を介してデータを送受信でき、第１ネットワーク装置に無線リンク障害が発生し、且つ第２ネットワーク装置のシグナリング無線ベアラが依然として利用可能である場合、ＵＥが第１ネットワーク装置の障害の情報を報告し、或いは第１ネットワーク装置を自律的に復旧することで、第１ネットワーク装置を迅速に変更し、ネットワーク側との接続を復旧し、データ損失を低減させることができる。
【００４４】
本実施例では、第１セルに無線リンク障害が発生したことは、ユーザ装置がキャリアアグリゲーションで構成されている場合、第１セルに物理層の問題又はランダムアクセスの問題が発生し、且つ第２セルが依然として利用可能であることを含んでもよい。本実施例では、ＵＥがキャリアアグリゲーションで構成され、即ちＵＥが第１セル及び複数の第２セルでデータを送受信でき、第１セルに物理層の問題又はランダムアクセスの問題が発生し、且つ第２セルが依然として利用可能である場合、ＵＥが第１セルの障害の情報を報告し、或いは第１セルを自律的に復旧することで、第１セルを迅速に変更し、ネットワーク側との接続を復旧し、データ損失を低減させることができる。
【００４５】
本実施例では、ＵＥが第１ネットワーク装置及び／又は第１セルの障害の情報を報告した後に、ＵＥがネットワーク側との接続を復旧し、データ損失を低減させるように、ネットワーク側は該ＵＥのために第１ネットワーク装置及び／又は第１セルを変更してもよい。
【００４６】
１つの態様では、ＵＥがデュアルコネクティビティで構成されている場合、該ＵＥは、Ｓｐｌｉｔ  ＳＲＢにより第２ネットワーク装置を介してネットワーク側（例えば第１ネットワーク装置）に無線リンク障害報告を送信し、第１ネットワーク装置の障害の情報を報告してもよい。
【００４７】
この態様では、ＵＥがＳｐｌｉｔ  ＳＲＢをサポートしている場合、該Ｓｐｌｉｔ  ＳＲＢにより無線リンク障害報告を第２ネットワーク装置を介して第１ネットワーク装置に送信し、該第１ネットワーク装置に該第１ネットワーク装置の障害の情報を報告してもよい。
【００４８】
この態様では、該無線リンク障害報告は、第１セル群（ＭＣＧ）の障害の情報を含んでもよいし、第２セル群（ＳＣＧ）の障害の情報を含んでもよいが、本実施例はこれに限定されない。これによって、ネットワーク側は該情報に基づいてＵＥのためにＭＣＧ及び／又はＳＣＧを変更してもよい。
【００４９】
この態様では、ＵＥが同時にキャリアアグリゲーションで構成されている場合、該ＵＥは該無線リンク障害報告に第１セルの障害又はネットワーク装置全体の障害の情報を追加してもよい。この態様では、物理層の問題又はランダムアクセスの問題が発生した場合、第１セルに無線リンク障害が発生したことを意味し、任意のＲＬＣ  ＰＤＵが最大の再送回数に達した場合、ネットワーク装置全体に無線リンク障害が発生したことを意味する。これによって、ネットワーク側は該情報に基づいてＵＥのために第１セルを変更し、或いはＵＥのためにネットワーク装置を変更してもよい。
【００５０】
もう１つの態様では、ＵＥがデュアルコネクティビティで構成されている場合、第２ネットワーク装置が第１ネットワーク装置の無線リンク障害のメッセージをネットワーク側（例えば第１ネットワーク装置）に報告するように、ＵＥはＳＣＧ  ＳＲＢにより該第２ネットワーク装置に第１ネットワーク装置の無線リンク障害報告を送信してもよい。これによって、第１ネットワークの障害の情報を報告する。
【００５１】
この態様では、ＵＥがＳＣＧ  ＳＲＢで構成されている場合、該ＳＣＧ  ＳＲＢにより第１ネットワーク装置の無線リンク障害報告を第２ネットワーク装置を送信し、該第２ネットワーク装置は、該第１ネットワーク装置に無線リンク障害が発生したことを判断し、第１ネットワーク装置の無線リンク障害のメッセージを、該第２ネットワーク装置と該第１ネットワーク装置とのインターフェイスを介して該第１ネットワーク装置に送信してもよい。
【００５２】
この態様では、該第１ネットワーク装置の無線リンク障害報告は前の態様の無線リンク障害報告と同様な内容を有してもよいが、本実施例はこれに限定されない。
【００５３】
もう１つの態様では、ＵＥがキャリアアグリゲーションで構成されている場合、ネットワーク側が第１セルの障害の情報に基づいて該ユーザ装置のために第１セルを変更し、第２セルの動作を維持するように、該ＵＥはネットワーク側に該第１セルの障害の情報を報告してもよい。
【００５４】
本実施例では、ＵＥは、物理層シグナリング又は媒体アクセス制御（ＭＡＣ：Ｍｅｄｉａ  Ａｃｃｅｓｓ  Ｃｏｎｔｒｏｌ）副層シグナリング、例えばランダムアクセス、スケジューリング要求などを介して該第１セルの障害の情報を報告し、或いはネットワーク側に該第１セルの障害報告を送信することで、ネットワーク側に該第１セルの障害の情報を報告してもよいが、この態様はこれに限定されない。
【００５５】
この態様では、該ＵＥの第２セルが依然として利用可能であるため、該ＵＥは該第２セルを介してネットワーク側に該第１セルの障害報告を送信してもよく、ネットワーク側は該第２セルの動作を維持してもよい。本実施例は該第１セルの障害報告の送信方法及び内容に限定されず、本実施例は該ネットワーク側による第１セルの変更方法及び第２セルの動作の維持方法に限定されない。
【００５６】
本実施例では、ＵＥは、ネットワーク側を介することなく、第１ネットワーク装置及び／又は第１セルを自律的に復旧することで、ネットワーク側との接続を迅速に復旧し、データ損失を低減させることができる。
【００５７】
１つの態様では、シグナリング無線ベアラにのみ障害が発生しており、且つデータ無線ベアラに障害が発生していない場合、即ち最大の再送回数に達したＲＬＣ  ＰＤＵがシグナリング無線ベアラにより伝送され、データ無線ベアラでのＲＬＣ  ＰＤＵが何れも最大の再送回数に達していない場合、ＵＥはＲＲＣ接続再確立を試み、該データ無線ベアラの動作を維持してもよい。これによって、自律的な復旧により、ＵＥがネットワーク側との接続を復旧し、データ損失を低減させることができる。
【００５８】
この態様では、ＵＥは、最大の再送回数に達したＲＬＣ  ＰＤＵがシグナリング無線ベアラ上で伝送されるものであるか、それともデータ無線ベアラ上で伝送されるものであるかを判断することで、シグナリング無線ベアラの障害であるか、それともデータ無線ベアラの障害であるかを決定してもよいが、本実施例はこれに限定されない。
【００５９】
この態様では、該ＵＥによるＲＲＣ接続再確立の方法に限定されず、該ＵＥによる該データ無線ベアラの維持方法に限定されない。
【００６０】
もう１つの態様では、ＵＥがキャリアアグリゲーションで構成されている場合、ＵＥの第１セルに障害が発生し、且つ第２セルが利用可能であるとき、即ち無線リンク障害が物理層の問題又はランダムアクセスの問題により引き起こされたとき、該ＵＥは第１セルの自律的復旧を行ってもよい。
【００６１】
例えば、該ＵＥは、第１セルと同一のネットワーク装置に属する他のセルへのランダムアクセスを開始し、該セルを該ＵＥの第１セルとして変更するように要求し、第２セルの動作を維持してもよい。
【００６２】
この態様では、第１セルと同一のネットワーク装置に属する他のセルが利用可能であるため、ＵＥは該他のセルのうち１つへのランダムアクセスプロセスを開始し、該セルをその第１セルとして変更するように要求してもよい。これによって、第１セルの自律的復旧を実現することができる。
【００６３】
この態様では、該ＵＥがランダムアクセスプロセスを開始するために選択されたセルに限定されず、例えばチャネル測定により最高のチャネル品質を有するセル又は最小の干渉を有するセルを選択してもよい。
【００６４】
この態様では、第１セルと同一のネットワーク装置に属する他のセルは該ＵＥの第２セルであってもよいが、本実施例はこれに限定されない。
【００６５】
もう１つの態様では、ＵＥがデュアルコネクティビティで構成されている場合、ＵＥの第１ネットワーク装置に障害が発生し、且つ第２ネットワーク装置が利用可能であるとき、該ＵＥは第１ネットワーク装置の自律的復旧を行ってもよい。
【００６６】
例えば、該第１ネットワーク装置がキャリアアグリゲーションで構成されておらず、シグナリング無線ベアラに障害が発生しており、且つデータ無線ベアラに障害が発生していない場合、該ＵＥは第１ネットワーク装置の他のセルにおいてシグナリング無線ベアラの復旧プロセスを開始し、データ無線ベアラの動作及び第２ネットワーク装置の動作を維持してもよい。これによって、ＵＥは第１ネットワーク装置の自律的復旧を完了する。
【００６７】
本実施例は、ＵＥによるシグナリング無線ベアラの復旧プロセスの開始方法に限定されず、データ無線ベアラの動作及び第２ネットワーク装置の動作の維持方法に限定されない。
【００６８】
もう１つの例として、該第１ネットワーク装置がキャリアアグリゲーションで構成されており、且つ該第１ネットワーク装置の第１セルに無線リンク障害が発生した場合、該ＵＥは第１ネットワーク装置の他のセルにおいて第１セルの変更プロセスを開始してもよい。これによって、該ＵＥは、第１セルの自律的復旧を完了し、第１セルが第１ネットワークに属するため、第１ネットワーク装置の自律的復旧を完了することに等しい。
【００６９】
本実施例は、ＵＥによる第１セルの変更プロセスの開始方法に限定されない。
【００７０】
本実施例では、ユーザ装置がデュアルコネクティビティで構成されており、第２ネットワーク装置に無線リンク障害が発生しており、且つ第１ネットワーク装置に無線リンク障害が発生していない場合、該ＵＥは第２ネットワーク装置を自律的に復旧してもよい。これによって、ネットワーク側との接続を迅速に復旧し、データ損失を低減させることができる。
【００７１】
１つの態様では、該第２ネットワーク装置がキャリアアグリゲーションで構成されておらず、シグナリング無線ベアラに障害が発生しており、且つデータ無線ベアラに障害が発生していない場合、該ＵＥは、該第２ネットワーク装置の他のセルにおいてシグナリング無線ベアラの復旧プロセスを開始し、該データ無線ベアラの動作及び第１ネットワーク装置の動作を維持してもよい。これによって、該ＵＥは第２ネットワーク装置の自律的復旧を完了する。
【００７２】
この態様は、ＵＥによるシグナリング無線ベアラの復旧プロセスの開始方法に限定されず、データ無線ベアラの動作及び第１ネットワーク装置の動作の維持方法に限定されない。
【００７３】
もう１つの態様では、該第２ネットワーク装置がキャリアアグリゲーションで構成されており、且つ該第２ネットワーク装置の第１セルに無線リンク障害が発生した場合、該ＵＥは該第２ネットワーク装置の他のセルにおいて第１セルの変更プロセスを開始してもよい。これによって、該ＵＥは、第２ネットワーク装置の第１セルの自律的復旧を完了し、該第１セルが該第２ネットワークに属するため、第２ネットワーク装置の自律的復旧を完了することに等しい。
【００７４】
この態様は、ＵＥによる第１セルの変更プロセスの開始方法に限定されない。
【００７５】
本実施例の方法によれば、第１ネットワーク装置（例えばマスタ基地局）に無線リンク障害が発生しており、且つ第２ネットワーク装置（例えばセカンダリ基地局）のシグナリング無線ベアラが依然として利用可能である場合、又は第１セル（例えばプライマリセル）に物理層の問題又はランダムアクセスの問題が発生しており、且つ第２セル（例えばセカンダリセル）が依然として利用可能である場合、ユーザ装置が第１ネットワーク装置及び／又は第１セルの障害の情報を報告し、或いは第１ネットワーク装置及び／又は第１セルを自律的に復旧することで、無線リンク障害が発生したセル又はネットワーク装置を迅速に変更することができ、ネットワーク側との接続を復旧することができ、データ損失を低減させることができる。
【００７６】
＜実施例２＞
本実施例はネットワーク接続の復旧方法を提供し、該方法はネットワーク側に適用され、例えばネットワーク装置に適用されてもよい。該方法は実施例１の方法に対応する第２ネットワーク装置側の処理であり、実施例１と同様な内容について説明を省略する。
【００７７】
図３は該方法を示す図であり、図３に示すように、該方法は以下のステップを含む。
【００７８】
ステップ３０１：第２ネットワーク装置は、ＵＥからＳｐｌｉｔ  ＳＲＢを介して送信された無線リンク障害報告、又はＳＣＧ  ＳＲＢを介して送信された第１ネットワーク装置の無線リンク障害報告を受信する。
【００７９】
ステップ３０２：該第２ネットワーク装置は、該無線リンク障害報告又は第１ネットワーク装置の無線リンク障害のメッセージをネットワーク側に送信する。
【００８０】
本実施例では、ここのネットワーク側は例えば上記の第１ネットワーク装置であり、該第２ネットワーク装置は、第２ネットワーク装置と第１ネットワーク装置との間のインターフェイスを介して第１ネットワーク装置に上記情報を送信してもよい。
【００８１】
本実施例の方法によれば、ネットワーク側が上記情報に基づいてＵＥのために第１ネットワーク装置を変更し、ＵＥにネットワーク側との接続を迅速に復旧させ、データ損失を低減させることができる。
【００８２】
＜実施例３＞
本実施例はネットワーク接続の復旧方法を提供し、該方法はネットワーク側に適用され、例えばネットワーク装置に適用されてもよい。該方法は実施例１方法に対応する第１ネットワーク装置側の処理であり、実施例１及び実施例２と同様な内容について説明を省略する。
【００８３】
図４は該方法を示す図であり、図４に示すように、該方法は以下のステップを含む。
【００８４】
ステップ４０１：第１ネットワーク装置は、ＵＥから送信された第１セルの障害報告、又は第２ネットワーク装置から送信された無線リンク障害報告、若しくは第１ネットワーク装置の無線リンク障害のメッセージを受信する。
【００８５】
ステップ４０２：該第２ネットワーク装置は、該第１セルの障害報告に基づいて該ＵＥのために第１セルを変更し、且つ第２セルの動作を維持し、或いは該無線リンク障害報告又は該第１ネットワーク装置の無線リンク障害のメッセージに基づいて該ＵＥのために第１ネットワーク装置を変更し、且つ／或いは該ＵＥのために第１セルを変更する。
【００８６】
本実施例の方法によれば、ネットワーク側がＵＥ又は第１ネットワーク装置によりフィードバックされた情報に基づいてＵＥのために第１ネットワーク装置及び／又は第１セルを変更し、ＵＥにネットワーク側との接続を迅速に復旧させ、データ損失を低減させることができる。
【００８７】
図５は本発明の実施例１〜３の方法に対応するＵＥ、第１ネットワーク装置及び第２ネットワーク装置の処理であり、図５に示すように、該処理プロセスは以下のステップを含む。
【００８８】
ステップ５０１：ＵＥは、第１ネットワーク装置及び／又は第１セルに無線リンク障害が発生したか否かを決定する。
【００８９】
ステップ５０１において、本実施例は、ＵＥにより第１ネットワーク装置及び／又は第１セルに無線リンク障害が発生したか否かを決定する方法に限定されず、例えば該ＵＥは無線リンクを監視することで決定してもよい。
【００９０】
ステップ５０２：ＵＥは、第１ネットワーク装置に第１ネットワーク装置及び／又は第１セルの障害の情報を報告する。
【００９１】
ステップ５０２において、ＵＥは第２ネットワークを介して第１ネットワークに上記情報を報告してもよい。例えば、ＵＥがデュアルコネクティビティで構成されている場合、ＵＥはＳｐｌｉｔ  ＳＲＢ又はＳＣＧ  ＳＲＢにより第２ネットワーク装置を介して第１ネットワーク装置に第１ネットワーク装置の障害の情報を報告してもよいし、ＵＥは自ら上記情報を報告してもよい。例えば、ＵＥがキャリアアグリゲーションで構成されている場合、ＵＥは第２セルを介して第１セルの障害の情報を報告してもよい。詳細は実施例１と同様であり、ここでその説明を省略する。
【００９２】
ステップ５０３：第１ネットワーク装置はＵＥのために第１ネットワーク装置及び／又は第１セルを変更する。
【００９３】
ステップ５０４：ＵＥは第１ネットワーク装置及び／又は第１セルを自律的に復旧する。
【００９４】
ステップ５０４において、ＳＲＢに障害が発生しており、且つＤＲＢに障害が発生していない場合、ＵＥはＲＲＣ接続再確立を行い、ＤＲＢの動作を維持してもよい。ＵＥがキャリアアグリゲーションで構成されている場合、ＵＥは、同一のネットワーク装置に属する他のセルへのランダムアクセスを開始し、該セルを第１セルとして変更するように要求し、第２セルの動作を維持することで、第１セルの自律的復旧を行ってもよい。ＵＥがデュアルコネクティビティで構成されており、且つＵＥが同時にキャリアアグリゲーションで構成されている場合、第１ネットワーク装置の第１セルに無線リンク障害が発生したとき、ＵＥは、該第１ネットワーク装置の他のセルにおいて第１セルの変更プロセスを開始することで、第１ネットワーク装置の第１セルの自律的復旧を行ってもよい。ＵＥがデュアルコネクティビティで構成されており、且つキャリアアグリゲーションで構成されていない場合、ＳＲＢに障害が発生しており、且つＤＲＢに障害が発生していないとき、ＵＥは、第１ネットワーク装置の他のセルにおいてＳＲＢの復旧プロセスを開始し、ＤＲＢの動作及び第２ネットワーク装置の動作を維持することで、第１ネットワーク装置の自律的復旧を行ってもよい。
【００９５】
図５の説明では、ステップ５０２〜５０３とステップステップ５０４は二者択一のものであり、即ち第１ネットワーク装置及び／又は第１セルに無線リンク障害が発生した場合、ステップ５０２〜５０３に従って第１ネットワークによりＵＥのために第１ネットワーク装置及び／又は第１セルを変更してもよく、或いはステップ５０３に従ってＵＥにより第１ネットワーク装置及び／又は第１セルを自律的に復旧してもよい。詳細は上述したものと同様であり、ここでその説明を省略する。
【００９６】
＜実施例４＞
本発明の実施例はネットワーク接続の復旧装置を提供し、該装置はユーザ装置に配置されてもよい。該装置の問題解決の原理は実施例１の方法と類似するため、その具体的な実施は実施例１の方法の実施を参考してもよく、同様な内容について説明を省略する。
【００９７】
図６は本実施例の装置を示す図であり、図６に示すように、該装置６００は第１処理部６０１を含む。
【００９８】
第１処理部６０１は、第１ネットワーク装置及び／又は第１セルに無線リンク障害が発生した場合、第１ネットワーク装置及び／又は第１セルの障害の情報を報告し、或いは第１ネットワーク装置及び／又は第１セルを自律的に復旧する。
【００９９】
本実施例では、第１ネットワーク装置に無線リンク障害が発生したことは、該ユーザ装置がデュアルコネクティビティで構成されている場合、第１ネットワーク装置に無線リンク障害が発生し、且つ第２ネットワーク装置のシグナリング無線ベアラが依然として利用可能であることを含む。
【０１００】
本実施例では、第１セルに無線リンク障害が発生したことは、該ユーザ装置がキャリアアグリゲーションで構成されている場合、第１セルに物理層の問題又はランダムアクセスの問題が発生し、且つ第２セルが依然として利用可能であることを含む。
【０１０１】
本実施例の１つの態様では、図６に示すように、第１処理部６０１は第１報告部６０１１を含む。第１報告部６０１１は、該ユーザ装置がデュアルコネクティビティで構成されている場合、スプリットシグナリング無線ベアラ（Ｓｐｌｉｔ  ＳＲＢ）により第２ネットワーク装置を介してネットワーク側に無線リンク障害報告を送信する。これによって、第１ネットワーク装置の障害の情報を報告する。
【０１０２】
この態様では、無線リンク障害報告は、第１セル群の障害の情報及び／又は第２セル群の障害の情報を含む。
【０１０３】
この態様では、該ユーザ装置がキャリアアグリゲーションで構成されている場合、該無線リンク障害報告は、第１セルの障害の情報又はネットワーク装置の障害の情報を含む。
【０１０４】
本実施例の１つの態様では、図６に示すように、第１処理部６０１は第２報告部６０１２を含む。第２報告部６０１２は、該ユーザ装置がデュアルコネクティビティで構成されている場合、第２ネットワーク装置が第１ネットワーク装置の無線リンク障害のメッセージをネットワーク側に報告するように、セカンダリセル群シグナリング無線ベアラ（ＳＣＧ  ＳＲＢ）により該第２ネットワーク装置に第１ネットワーク装置の無線リンク障害報告を送信する。これによって、第１ネットワーク装置の障害の情報を報告する。
【０１０５】
本実施例の１つの態様では、図６に示すように、第１処理部６０１は第３報告部６０１３を含む。第３報告部６０１３は、該ユーザ装置がキャリアアグリゲーションで構成されている場合、ネットワーク側が第１セルの障害の情報に基づいて該ユーザ装置のために第１セルを変更し、第２セルの動作を維持するように、ネットワーク側に該第１セルの障害の情報を報告する。
【０１０６】
この態様では、第３報告部６０１３は、ネットワーク側に該第１セルの障害報告を送信してもよいし、物理層シグナリング又は媒体アクセス制御（ＭＡＣ：Ｍｅｄｉａ  Ａｃｃｅｓｓ  Ｃｏｎｔｒｏｌ）副層シグナリング、例えばランダムアクセス、スケジューリング要求などを介してネットワーク側に該第１セルの障害の情報を報告してもよいが、この態様はこれに限定されない。
【０１０７】
本実施例の１つの態様では、図６に示すように、第１処理部６０１は第１復旧部６０１４を含む。第１復旧部６０１４は、シグナリング無線ベアラに障害が発生しており、且つデータ無線ベアラに障害が発生していない場合、ＲＲＣ接続再確立を行い、該データ無線ベアラの動作を維持する。これによって、第１ネットワーク装置及び／又は第１セルを自律的に復旧する。
【０１０８】
本実施例の１つの態様では、図６に示すように、第１処理部６０１は第２復旧部６０１５を含む。第２復旧部６０１５は、該ユーザ装置がキャリアアグリゲーションで構成されている場合、該第１セルと同一のネットワーク装置に属する他のセルへのランダムアクセスを開始し、該セルを第１セルとして変更するように要求し、第２セルの動作を維持する。これによって、第１セルを自律的に復旧する。
【０１０９】
本実施例の１つの態様では、図６に示すように、第１処理部６０１は第３復旧部６０１６を含む。第３復旧部６０１６は、該ユーザ装置がデュアルコネクティビティで構成されている場合、該第１ネットワーク装置がキャリアアグリゲーションで構成されておらず、シグナリング無線ベアラに障害が発生しており、且つデータ無線ベアラに障害が発生していないとき、第１ネットワーク装置の他のセルにおいてシグナリング無線ベアラの復旧プロセスを開始し、該データ無線ベアラの動作及び第２ネットワーク装置の動作を維持する。これによって、第１ネットワーク装置を自律的に復旧する。
【０１１０】
本実施例の１つの態様では、図６に示すように、第１処理部６０１は第４復旧部６０１７を含む。第４復旧部６０１７は、該ユーザ装置がデュアルコネクティビティで構成されている場合、該第１ネットワーク装置がキャリアアグリゲーションで構成されており、且つ該第１ネットワーク装置の第１セルに無線リンク障害が発生したとき、第１ネットワーク装置の他のセルにおいて第１セルの変更プロセスを開始する。これによって、第１ネットワーク装置を自律的に復旧する。
【０１１１】
本実施例では、図６に示すように、該装置６００は第２処理部６０２をさらに含んでもよい。
【０１１２】
第２処理部６０２は、該ユーザ装置がデュアルコネクティビティで構成されており、第２ネットワーク装置に無線リンク障害が発生しており、且つ第１ネットワーク装置に無線リンク障害が発生していない場合、第２ネットワーク装置を自律的に復旧する。
【０１１３】
１つの態様では、図６に示すように、第２処理部６０２は第５復旧部６０２１を含む。第５復旧部６０２１は、該第２ネットワーク装置がキャリアアグリゲーションで構成されておらず、シグナリング無線ベアラに障害が発生しており、且つデータ無線ベアラに障害が発生していない場合、第２ネットワーク装置の他のセルにおいてシグナリング無線ベアラの復旧プロセスを開始し、該データ無線ベアラの動作及び第１ネットワーク装置の動作を維持する。これによって、第２ネットワーク装置を自律的に復旧する。
【０１１４】
もう１つの態様では、図６に示すように、第２処理部６０２は第６復旧部６０２２を含む。第６復旧部６０２２は、該第２ネットワーク装置がキャリアアグリゲーションで構成されており、且つ該第２ネットワーク装置の第１セルに無線リンク障害が発生した場合、該第２ネットワーク装置の他のセルにおいて第１セルの変更プロセスを開始する。これによって、第２ネットワーク装置を自律的に復旧する。
【０１１５】
本実施例の装置によれば、第１ネットワーク装置（例えばマスタ基地局）に無線リンク障害が発生しており、且つ第２ネットワーク装置（例えばセカンダリ基地局）のシグナリング無線ベアラが依然として利用可能である場合、又は第１セル（例えばプライマリセル）に物理層の問題又はランダムアクセスの問題が発生しており、且つ第２セル（例えばセカンダリセル）が依然として利用可能である場合、ユーザ装置が第１ネットワーク装置及び／又は第１セルの障害の情報を報告し、或いは第１ネットワーク装置及び／又は第１セルを自律的に復旧することで、無線リンク障害が発生したセル又はネットワーク装置を迅速に変更することができ、ネットワーク側との接続を復旧することができ、データ損失を低減させることができる。
【０１１６】
＜実施例５＞
本発明の実施例はネットワーク接続の復旧装置を提供し、該装置はネットワーク装置に配置されてもよい。該装置の問題解決の原理は実施例２の方法と類似するため、その具体的な実施は実施例２の方法の実施を参考してもよく、同様な内容について説明を省略する。
【０１１７】
図７は本実施例の装置を示す図であり、図７に示すように、該装置７００は受信部７０１及び送信部７０２を含む。受信部７０１は、ユーザ装置からスプリットシグナリング無線ベアラを介して送信された無線リンク障害報告、又はセカンダリセル群シグナリング無線ベアラを介して送信された第１ネットワーク装置の無線リンク障害報告を受信する。送信部７０２は、該無線リンク障害報告又は第１ネットワーク装置の無線リンク障害のメッセージをネットワーク側に送信する。
【０１１８】
本実施例の装置によれば、ネットワーク側が上記情報に基づいてＵＥのために第１ネットワーク装置を変更し、ＵＥにネットワーク側との接続を迅速に復旧させ、データ損失を低減させることができる。
【０１１９】
＜実施例６＞
本発明の実施例はネットワーク接続の復旧装置を提供し、該装置はネットワーク装置に配置されてもよい。該装置の問題解決の原理は実施例３の方法と類似するため、その具体的な実施は実施例３の方法の実施を参考してもよく、同様な内容について説明を省略する。
【０１２０】
図８は本実施例の装置を示す図であり、図８に示すように、該装置８００は、受信部８０１及び処理部８０２を含む。受信部８０１は、ユーザ装置から送信された第１セルの障害報告、又は第２ネットワーク装置から送信された無線リンク障害報告、若しくは第１ネットワーク装置の無線リンク障害のメッセージを受信する。処理部８０２は、該第１セルの障害報告に基づいて該ユーザ装置のために第１セルを変更し、且つ第２セルの動作を維持し、或いは該無線リンク障害報告又は該第１ネットワーク装置の無線リンク障害のメッセージに基づいて該ユーザ装置のために第１ネットワーク装置を変更し、且つ／或いは該ユーザ装置のために第１セルを変更する。
【０１２１】
本実施例の装置によれば、ネットワーク側がＵＥ又は第１ネットワーク装置によりフィードバックされた情報に基づいてＵＥのために第１ネットワーク装置及び／又は第１セルを変更し、ＵＥにネットワーク側との接続を迅速に復旧させ、データ損失を低減させることができる。
【０１２２】
＜実施例７＞
本実施例はユーザ装置を提供し、該ユーザ装置は実施例４に記載のネットワーク接続の復旧装置を含む。
【０１２３】
図９は本実施例のユーザ装置９００の構成を示す図である。図９に示すように、ユーザ装置９００は、プロセッサ９０１及びメモリ９０２を含んでもよく、メモリ９０２はプロセッサ９０１に接続される。なお、該図は単なる例示的なものであり、電気通信機能又は他の機能を実現するように、他の種類の構成を用いて、該構成を補充又は代替してもよい。
【０１２４】
１つの態様では、ネットワーク接続の復旧装置の機能はプロセッサ９０１に統合されてもよい。ここで。プロセッサ９０１は、第１ネットワーク装置及び／又は第１セルに無線リンク障害が発生した場合、第１ネットワーク装置及び／又は第１セルの障害の情報を報告し、或いは第１ネットワーク装置及び／又は第１セルを自律的に復旧するように構成されてもよい。
【０１２５】
もう１つの態様では、ネットワーク接続の復旧装置はプロセッサ９０１とそれぞれ配置されてもよく、例えばネットワーク接続の復旧装置はプロセッサ９０１に接続されたチップであり、プロセッサ９０１の制御によりネットワーク接続の復旧装置の機能を実現してもよい。
【０１２６】
図９に示すように、ユーザ装置９００は、通信モジュール９０３、入力部９０４、ディスプレイ９０５、及び電源９０６をさらに含んでもよい。なお、ユーザ装置９００は図９に示す全てのユニットを含む必要がない。また、ユーザ装置９００は、図９に示されていないユニットをさらに含んでもよく、従来技術を参照してもよい。
【０１２７】
図９に示すように、プロセッサ９０１は、コントローラ又は操作制御部とも称され、マイクロプロセッサ又は他の処理装置及び／又は論理装置を含んでもよく、プロセッサ９０１は入力を受け付け、ユーザ装置９００の各部の操作を制御する。
【０１２８】
ここで、メモリ９０２は、例えばバッファ、フラッシュメモリ、ハードディスク、移動可能な媒体、発揮性メモリ、不発揮性メモリ、又は他の適切な装置の１つ又は複数であってもよく、各種のデータ及び関連情報を実行するためのプログラムを記憶している。また、プロセッサ９０１は、メモリ９０２に記憶されたプログラムを実行し、情報の記憶又は処理などを実現してもよい。他の部材は従来技術に類似するため、ここでその説明が省略される。ユーザ装置９００の各部は、本発明の範囲から逸脱することなく、特定のハードウェア、ファームウェア、ソフトウェア又はその組み合わせによって実現されてもよい。
【０１２９】
本実施例のユーザ装置によれば、第１ネットワーク装置（例えばマスタ基地局）に無線リンク障害が発生しており、且つ第２ネットワーク装置（例えばセカンダリ基地局）のシグナリング無線ベアラが依然として利用可能である場合、又は第１セル（例えばプライマリセル）に物理層の問題又はランダムアクセスの問題が発生しており、且つ第２セル（例えばセカンダリセル）が依然として利用可能である場合、ユーザ装置が第１ネットワーク装置及び／又は第１セルの障害の情報を報告し、或いは第１ネットワーク装置及び／又は第１セルを自律的に復旧することで、無線リンク障害が発生したセル又はネットワーク装置を迅速に変更することができ、ネットワーク側との接続を復旧することができ、データ損失を低減させることができる。
【０１３０】
＜実施例８＞
本実施例はネットワーク装置を提供し、該ネットワーク装置は実施例５又は実施例６に記載のネットワーク接続の復旧装置を含む。
【０１３１】
図１０は本実施例のネットワーク装置の構成を示す図である。図１０に示すように、ネットワーク装置１０００は、プロセッサ１００１（ｐｒｏｃｅｓｓｏｒ）８０１及びメモリ１００２を含んでもよく、メモリ１００２はプロセッサ１００１に接続される。メモリ１００２は、各種のデータを記憶してもよいし、情報処理のプログラムをさらに記憶し、プロセッサ１００１の制御で該プログラムを実行し、ユーザ装置により送信された各情報を受信し、ユーザ装置に要求情報を送信してもよい。
【０１３２】
１つの態様では、実施例４又は実施例５に記載のネットワーク接続の復旧装置の機能はプロセッサ１００１に統合されてもよい。
【０１３３】
例えば、プロセッサ１００１は、ユーザ装置からスプリットシグナリング無線ベアラを介して送信された無線リンク障害報告、又はセカンダリセル群シグナリング無線ベアラを介して送信された第１ネットワーク装置の無線リンク障害報告を受信し、該無線リンク障害報告又は第１ネットワーク装置の無線リンク障害のメッセージをネットワーク側に送信するように構成されてもよい。
【０１３４】
もう１つの例として、プロセッサ１００１は、ユーザ装置から送信された第１セルの障害報告、又は第２ネットワーク装置から送信された無線リンク障害報告、若しくは第１ネットワーク装置の無線リンク障害のメッセージを受信し、該第１セルの障害報告に基づいて該ユーザ装置のために第１セルを変更し、且つ第２セルの動作を維持し、或いは該無線リンク障害報告又は該第１ネットワーク装置の無線リンク障害のメッセージに基づいて該ユーザ装置のために第１ネットワーク装置を変更し、且つ／或いは該ユーザ装置のために第１セルを変更するように構成されてもよい。
【０１３５】
もう１つの態様では、実施例５又は実施例６に記載のネットワーク接続の復旧装置はプロセッサ１００１とそれぞれ配置されてもよく、例えば実施例５又は実施例６に記載のネットワーク接続の復旧装置はプロセッサ１００１に接続されたチップであり、プロセッサ１００１の制御により実施例５又は実施例６に記載のネットワーク接続の復旧装置の機能を実現してもよい。
【０１３６】
また、図１０に示すように、ネットワーク装置１０００は、送受信機１００３及びアンテナ１００４等をさらに含んでもよい。上記部材の機能は従来技術と類似し、ここでその説明を省略する。なお、ネットワーク装置１０００は図１０に示す全てのユニットを含む必要がない。また、ネットワーク装置１０００は、図１０に示されていないユニットをさらに含んでもよく、従来技術を参照してもよい。
【０１３７】
本実施例のネットワーク装置によれば、第１ネットワーク装置（例えばマスタ基地局）に無線リンク障害が発生しており、且つ第２ネットワーク装置（例えばセカンダリ基地局）のシグナリング無線ベアラが依然として利用可能である場合、又は第１セル（例えばプライマリセル）に物理層の問題又はランダムアクセスの問題が発生しており、且つ第２セル（例えばセカンダリセル）が依然として利用可能である場合、ＵＥのために第１ネットワーク装置及び／又は第１セルを変更し、ＵＥにネットワーク側との接続を迅速に復旧させ、データ損失を低減させることができる。
【０１３８】
＜実施例９＞
本発明の実施例は通信システムをさらに提供し、該通信システムは実施例７に記載のユーザ装置及び実施例８に記載のネットワーク装置を含む。
【０１３９】
該ユーザ装置及び該ネットワーク装置の詳細は実施例７及び実施例８で既に説明されているため、その内容がここで援用され、ここでその説明を省略する。
【０１４０】
本発明の実施例は、ネットワーク接続の復旧装置又はユーザ装置においてプログラムを実行する際に、該ネットワーク接続の復旧装置又はネットワーク装置に、実施例１に記載のネットワーク接続の復旧方法を実行させる、コンピュータ読み取り可能なプログラムをさらに提供する。
【０１４１】
本発明の実施例は、ネットワーク接続の復旧装置又はユーザ装置に、実施例１に記載のネットワーク接続の復旧方法を実行させるためのコンピュータ読み取り可能なプログラムを記憶する、記憶媒体をさらに提供する。
【０１４２】
本発明の実施例は、ネットワーク接続の復旧装置又はネットワーク装置においてプログラムを実行する際に、該ネットワーク接続の復旧装置又はネットワーク装置に、実施例２又は実施例３に記載のネットワーク接続の復旧方法を実行させる、コンピュータ読み取り可能なプログラムをさらに提供する。
【０１４３】
本発明の実施例は、ネットワーク接続の復旧装置又はネットワーク装置に、実施例２又は実施例３に記載のネットワーク接続の復旧方法を実行させるためのコンピュータ読み取り可能なプログラムを記憶する、記憶媒体をさらに提供する。
【０１４４】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１４５】
本発明の実施例を参照しながら説明した方法／装置は、ハードウェア、プロセッサにより実行されるソフトウェアモジュール、又は両者の組み合わせで実施されてもよい。例えば、図６〜図８に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図２〜４に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１４６】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１４７】
図面に記載されている機能的ブロック図における一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１４８】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【図１】
2020511842.tif 000003
【図２】
2020511842.tif 000004
【図３】
2020511842.tif 000005
【図４】
2020511842.tif 000006
【図５】
2020511842.tif 000007
【図６】
2020511842.tif 000008
【図７】
2020511842.tif 000009
【図８】
2020511842.tif 000010
【図９】
2020511842.tif 000011
【図１０】
2020511842.tif 000012
【手続補正書】
【提出日】令和1年10月1日(2019.10.1)
【手続補正１】
【補正対象書類名】明細書
【補正対象項目名】００８５
【補正方法】変更
【補正の内容】
【００８５】
ステップ４０２：該第１ネットワーク装置は、該第１セルの障害報告に基づいて該ＵＥのために第１セルを変更し、且つ第２セルの動作を維持し、或いは該無線リンク障害報告又は該第１ネットワーク装置の無線リンク障害のメッセージに基づいて該ＵＥのために第１ネットワーク装置を変更し、且つ／或いは該ＵＥのために第１セルを変更する。
【手続補正２】
【補正対象書類名】図面
【補正対象項目名】図４
【補正方法】変更
【補正の内容】
【図４】
2020511842.tif 000013
【国際調査報告】
2020511842.tif 000014
2020511842.tif 000015
2020511842.tif 000016
2020511842.tif 000017